(57)【要約】【課題】折板屋根の馳部に取り付けて屋根上構造物の固定などに使用する屋根上取り付け金具において、折板屋根に対する取り付け作業が簡易迅速に行えるようにするとともに、低コスト、高機能化を図ることができるようにする。【解決手段】折板屋根２１の馳部２２に対して該馳部２２を締め付けるようにして取り付けるべく、左右一対の挟持部４２，４２と、これら挟持部４２，４２の上端部を一体に連結する頂面部４３と、挟持部を互いに近接する方向に締め付けるボルト５１ナット５２とを有した屋根上取り付け金具１１であって、上記の挟持部４２，４２と頂面部４３との間に、締め付け時の変形を行いやすくするための折り返し部４８，４８が、上にむけて突出する断面逆Ｕ字状に設けられた屋根上取り付け金具１１。【選択図】図３
2009084982.tif 000002
【特許請求の範囲】
【請求項１】
折板屋根の馳部に対して該馳部を締め付けるようにして取り付けるべく、左右一対の挟持部と、これら挟持部の上端部を一体に連結する頂面部と、挟持部を互いに近接する方向に締め付ける締め付け手段とを有した屋根上取り付け金具であって、
上記挟持部と頂面部との間に、折り返し部が設けられた
屋根上取り付け金具。
【請求項２】
前記折り返し部が、頂面部より上に突出するように形成された
請求項１に記載の屋根上取り付け金具。
【請求項３】
前記頂面部に、上向きのボルトが保持された
請求項１または請求項２に記載の屋根上取り付け金具。
【請求項４】
前記頂面部から折り返し部の上端までの高さが、前記のボルトを保持するためのナットを収容する高さである
請求項２または請求項３に記載の屋根上取り付け金具。
【請求項５】
前記折り返し部に挟まれた頂面部の幅が、前記のボルトを保持するためのナットを回り止めする幅に設定された
請求項２または請求項３に記載の屋根上取り付け金具。
【請求項６】
前記挟持部の下端部に、折板屋根の上面における水平部から傾斜部にいたるまでの部分に接触する袴状接地部が形成された
請求項１から請求項５のうちのいずれか一項に記載の屋根上取り付け金具。
【発明の詳細な説明】
【技術分野】
【０００１】
この発明は、折板屋根の馳部に取り付けて使用する屋根上取り付け金具に関し、より詳しくは、取り付け作業が簡易迅速に行えるような屋根板取り付け金具に関する。
【背景技術】
【０００２】
屋根上取り付け金具は、折板屋根の上に雪止め用のアングル材や太陽熱温水器、緑化装置などのような屋根上構造物を取り付けるため、また折板屋根の馳部の係合を補強して折板が外れるのを防止するためなどに用いられる。
【０００３】
このような屋根板取り付け金具としては、たとえば下記特許文献１に開示されているように、一枚の金属板で正面視略門型に形成されたものが知られている。すなわち、門型を形作る上面部分と、これの左右両側から連設されている側面部分とを有し、側面部にはボルトナットが保持され、このボルトナットの締め付けで、側面部分の下端部が馳部に圧接させられ固定が行われる。また、上面部分には、屋根上構造物を取り付けるための取り付けボルトが立設されている。
【０００４】
しかし、この金具は、図６（ｃ）に示したように門型を形作る上面部分１０１と、これの左右両側から連設されている側面部分１０２，１０２との間の角部分１０３が、比較的大きな円弧状に形成されている。
【０００５】
このため、なかなか変形しにくく、取り付けに大きな力が必要で、迅速な取りつけ作業が困難であるばかりか、ナットが損傷したりボルトナットのねじが破損したりすることもあった。また、上面部分には上に向けて湾曲するような力がかかり、締め具合によって上面部の高さが変化するなど、屋根上構造物の取り付け状態の安定性を得られないおそれがあった。
【０００６】
このような難点を解消すべく、下記特許文献２、３、４のような金具が案出された。
【０００７】
下記特許文献２の金具は、締め付け作業が迅速に行えるように、相互に組み合わせられる左右２個の部材で構成したものである。しかし、２個の部材で構成すると部品点数が多くなり、組み付け作業も必要となって、コスト高や部品管理の煩雑さを招くことになる。
【０００８】
下記特許文献３、４の金具は、締め付けたときに曲がって欲しい角部分に角部分の長さ方向に沿って長い切れ目を入れて、曲がりやすくしたものである。しかし、このように切れ目を入れた場合には、曲がる部分が長さ方向で寸断されることになる。このため、門型を形作る上面部分と側面部分との一体性が弱まり、ボルトを保持する上面部分の強度が低下するおそれがあった。
【０００９】
なお、門型の金具ではないが、折り曲げをしやすくしたものとして下記特許文献５の金具を案出した。この金具は、左右一対の挟持部を、鋭角をなして連続する折曲部を介して一体化したものである。折り曲げがサッと行えて大変よいが、簡単かつ低コストでボルトを立設する上面部分がない。
【００１０】
【特許文献１】実公平７−３８５３６号公報
【特許文献２】実公平６−１９６４号公報
【特許文献３】特開２００３−２４７３１０号公報
【特許文献４】意匠登録第１０９７７９７号公報
【特許文献５】特開２００６−１８８８７７号公報
【発明の開示】
【発明が解決しようとする課題】
【００１１】
上述のように、従来の金具では、締めやすさという施工性をみたせば経済面や機能面で支障がでるおそれがあるというものであった。  
そこで、この発明は、施工性のほか、経済面や機能面でも満足を得られるようにすることを目的とする。
【課題を解決するための手段】
【００１２】
そのための手段は、折板屋根の馳部に対して該馳部を締め付けるようにして取り付けるべく、左右一対の挟持部と、これら挟持部の上端部を一体に連結する頂面部と、挟持部を互いに近接する方向に締め付ける締め付け手段とを有した屋根上取り付け金具であって、上記挟持部と頂面部との間に、折り返し部が設けられた屋根上取り付け金具である。上記折り返し部は、断面形状における中間位置を挟む両側部分が略同一方向、あるいは鋭角をなす方向に向く形状であり、たとえば略Ｕ字状、Ｖ字状、円弧状、凹字状等に形成される。また折り返し部の向きは、上、下、横、斜めいずれでもよい。
【００１３】
締め付け手段で挟持部を締め付けたときには、そのときに掛かる力は頂面部と挟持部との間の折り返し部に集中し、挟持部相互の速やかな接近を可能にする。また、挟持部を締め付けたときに折り返し部間の頂面部にかかろうとする力の伝達を遮断する。
【発明の効果】
【００１４】
以上のように、この発明によれば、折り返し部の存在により、締め付け時に作用する力を一部に集中させ、曲がりやすくすることができる。このため、簡易迅速な固定作業が可能である。
【００１５】
また、折り返し部に従来のような切れ目を入れる必要はないので、門型を形作る全体の一体性が高く、強度低下などの不都合を回避することもできる。
【００１６】
さらに、上記のような折り返し部の存在により、締め付け時にかかる力によって頂面部が変形するようなことを防止できるので、屋根上構造物を取り付けるときでも形態的に安定性が高く、屋根上取り付け金具自体はもちろんのこと、屋根上構造物も良好に取り付けることができる。
【発明を実施するための最良の形態】
【００１７】
この発明を実施するための一形態を、以下図面を用いて説明する。  
図１は屋根上取り付け金具１１（以下、「金具」という。）の斜視図であり、この金具１１は、図２、図３に示したように折板屋根２１の馳部２２に固定され、雪止め用のアングル材や太陽熱温水器、緑化装置などのような所望の屋根上構造物３１（図３参照）を取り付けるものである。
【００１８】
金具１１は、図４にも示したように、１枚の金属板からなる本体部材４１と、この本体部材４１を折板屋根２１の馳部２２に固定するための締め付け手段としてのボルト５１ナット５２と、屋根上構造物を取り付けるための取り付けボルト６１とを有する。
【００１９】
本体部材は左右対称の正面視略門型に形成されている。すなわち、左右一対の挟持部４２，４２と、これらの上端部を一体に連結する頂面部４３とを有する。挟持部４２，４２は下側ほど外側に開くように傾斜しており、下端部には、内側にくびれて折板屋根２１の馳部２２の下側部分を締め付ける締め付け部４４と、この締め付け部４４の下端から外側に伸びて折板屋根２１の水平部２３に接地する接地部４５とを有する。各挟持部４２，４２の締め付け部４４間の隙間は、折板屋根２１の馳部２２に対して上からかぶせた時に馳部２２の侵入を許容する大きさである。これら締め付け部４４，４４は、上記のボルト５１ナット５２の締め付けにより、図４に仮想線で示したように相互に接近させられて、馳部２２を締め付ける（図３参照）。
【００２０】
また、各挟持部４２，４２の上下方向の中間位置には角孔４６が形成されており、上記のボルト５１を挿通保持する。なお、各挟持部４２，４２の上端位置から締め付け部４４にかけての外側への膨らみは補強のためのリブ４７である。
【００２１】
頂面部４３は平坦に形成され、各挟持部４２，４２の上端に、断面略Ｕ字状をなす折り返し部４８を介して一体に形成されている。この例の折り返し部４８は、頂面部４３よりも上へ突出するように断面逆Ｕ字状をなす。この結果、頂面部４３は本体部材４１の上端（折り返し部４８の頂点部分）よりも下がった位置に形成されることになる。
【００２２】
また、頂面部４３の中央には、貫通孔４３ａが設けられ、この貫通孔４３ａに上向きの取り付けボルト６１が保持される。取り付けボルト６１は頂面部４３の下からスプリングワッシャ６２を介して挿入され、上から螺合するナット６３で固定される。
【００２３】
このため、上記頂面部４３の高さ、すなわち頂面部４３から折り返し部４８の上端位置までの高さＨ１は、図４に示したように上記のナット６３を収容する高さに設定される。より好ましくは、ナット６３の上面位置と、折り返し部４８の上端位置とが面一になるようにする。屋根上構造物３１（図３参照）を支持する接点を増やして取り付け状態の安定化に資することができる。また、取り付けボルト６１を保持する際の便宜上、ナット６３を回り止め可能に保持すべく、図５に示したように頂面部４３の幅Ｗ１は、ナット６３の幅Ｗ２と嵌合対応する程度の幅に設定するのが好ましい。
【００２４】
上記のような各部材からなる金具１１は、次のようにして組み立てられる。  
まず、所定形状に形成された本体部材４１の頂面部４３に取り付けボルト６１を保持する。取り付けボルト６１の保持に際しては、金具１１の上面の凹み、つまり頂面部４３の上面にナット６３を嵌めるように押し当てて、頂面部４３の下から取り付けボルト６１を螺合する。ボルトの螺合に先立ってスプリングワッシャ６２が介装される。ナット６３が回り止めされるので、螺合はきわめて容易に行える。
【００２５】
つぎに本体部材４１における一方の挟持部４２の角孔４６にボルト５１を挿通し、ボルト５１における他方の挟持部４２から突出する部分にナット５２を螺合して保持する。
【００２６】
このような金具１１は、折板屋根２１の馳部２２に対して上からかぶせるように嵌めてから（図２参照）、図４に示したようにナット５２を螺合し、ボルト５１ナット５２の緊締力で一対の挟持部４２，４２を互いに接近させて、これら挟持部４２，４２の締め付け部４４で折板屋根２１の馳部２２を締め付ける。
【００２７】
ボルト５１ナット５２による締め付けを行うと、図６（ａ）に示したように、折り返し部４８，４８に締め付け力が集中的に作用して、折り返し部４８，４８を中心に各挟持部４２，４２が回動する。この回動は、下端側を閉じるように比較的軽い力で速やかにサッと行われ、各挟持部４２，４２の締め付け部４４が、図３に示したように馳部２２の下側を挟み込むとともに、接地部４５が折板屋根２１の水平部２３に接地する。
【００２８】
また、締め付けに際して折り返し部４８，４８が、折り返し部４８，４８間の頂面部４３にかかろうとする力の伝達を遮断する。このため、頂面部４３に変形の力はかからず、変形も起らない。これに対して、たとえば図６（ｂ）に示したように、従来の形状（図６（ｃ））の場合よりも角部分１０３，１０３の湾曲を小さくして略直角にした場合でも、締め付け時に作用する締め付け力によって挟持部１０２，１０２が変形し、この変形にともなって、これらの間の部分（上面部分１０１）に変形の力が作用する。しかし、上記のように折り返し部４８，４８を有する場合には、変形の力が完全に遮断され、頂面部４３の変形は起らない。このため、金具１１自体はもちろんのこと、屋根上構造物３１（図３参照）も良好に取り付けることができる。
【００２９】
しかも、折り返し部４８，４８の存在により締め付けが簡易迅速に行えるので、折り返し部には、従来のように切り目を入れる必要はない。このため、本体部材４１の全体的な一体性が高く、強度低下のおそれもなく、屋根上構造物３１の良好な取り付け状態を長期間にわたって良好に維持できる。
【００３０】
このように締め付け部４４による締め付けと接地部４５の接地とによって、金具１１は上への引き抜き耐力と圧縮耐力を有した状態で強固に固定される。
【００３１】
以下、その他の例を説明する。この説明において、上記の構成と同一または同等の部位については、同一の符号を付してその詳しい説明を省略する。
【００３２】
図７（ａ）に示した金具１１は、取り付けボルト６１をかしめによって固定したものである。取り付けボルト６１が図７（ｂ）に示しようにかしめで固定されるので、組み立て工数を低減でき、輸送中の不測のゆるみなどの発生を完全に防止できる。
【００３３】
図８に示した金具１１は、取り付けボルトを省略したものである。この金具１１は、屋根上構造物の荷重を受けるだけに使用したり、折板屋根２１の固定状態を強固にするために馳部２２に固定したりするのに使用される。
【００３４】
図９に示した金具１１は、本体部材４１における挟持部４２の下端部に、上記の接地部４５に代えて、折板屋根２１の上面における水平部２３と、この水平部２３の外側に位置する傾斜部２４とに接触する袴状接地部４９を備えた例である。このように水平部接地部４９ａと傾斜部接地部４９ｂとを有する袴状接地部４９は、図１０に示したように、折板屋根２１に対する固定時に、角度に異なる面に同時に接触して固定状態を安定させる。このため、より強固な安定した固定を実現できる。
【００３５】
図１１は、折り返し部４８の他の例を示す正面図である。これらに示すように、折り返し部４８の形態や配置は適宜設定され得る。  
図１１（ａ）の金具１１は、挟持部４２と頂面部４３との間の２本の折り返し部４８，４８を、内側斜め下向きに突設したものである。図１１（ｂ）の金具１１は、２本の折り返し部４８，４８を内側水平に向けて突設したものである。図１１（ｃ）の金具１１は、折り返し部４８，４８を下に向けて突設したもの、すなわちＵ字状に形成した例である。このように折り返し部４８，４８を下に向けて形成すると、それらの上側にも折り返し部４８ａ，４８ａが形成されることになる。つまり４本の折り返し部４８，４８，４８ａ，４８ａが上下に２段階に分けて設けられることになる。図１１（ｄ）の金具１１は、２本の折り返し部４８，４８を外側斜め上向きに突設したものである。図１１（ｅ）の金具１１は、図１１（ｃ）に示した金具１１のように２本の折り返し部４８，４８を下に向けて突設したもので、上下に分かれた合計４本の折り返し部４８，４８，４８ａ，４８ａを備える。そして、頂面部４３の高さは、図１１（ｃ）に示した金具１１の頂面部４３の高さよりも低く設定したものである。頂面部４３の下側の幅は、取り付けボルト６１の六角の頭部を回り止めにする大きさで、頂面部４３の上側には、取り付けボルト６１を固定するナット６３を収容する深さの空間が設けられている。
【００３６】
これらのような構造の金具１１はいずれも上述のような作用効果を達成する。特に、図１１（ｃ），（ｄ）に示したような金具１１では、折り返し部４８，４８，４８ａ，４８ａが上下２段に分けて設けられているので、それぞれの折り返し部４８，４８，４８ａ，４８ａが締め付け力による変形の力を受けることになり、さらに締めやすいものとなる。
【００３７】
この発明構成と上記の一形態の構成との対応において、  
この発明の締め付け手段は、上記のボルト５１ナット５２対応し、
ボルトは、取り付けボルト６１に対応するも、  
この発明は、上記の構成のみに限定されるものではなく、その他の形態を採用することもできる。  
たとえば、本体部材の形態は左右対称の形状でなくともよい。
【図面の簡単な説明】
【００３８】
【図１】屋根上取り付け金具の斜視図。
【図２】屋根上取り付け金具の固定状態の斜視図。
【図３】屋根上取り付け金具の固定状態の正面図。
【図４】屋根上取り付け金具の断面図。
【図５】屋根上取り付け金具の平面図。
【図６】屋根上取り付け金具と従来の金具との作用状態を示す説明図。
【図７】他の例に係る屋根上取り付け金具の斜視図と断面図。
【図８】他の例に係る屋根上取り付け金具の斜視図。
【図９】他の例に係る屋根上取り付け金具の斜視図。
【図１０】図９の屋根上取り付け金具の固定状態の正面図。
【図１１】他の例に係る屋根上取り付け金具の説明図。
【符号の説明】
【００３９】
１１…屋根上取り付け金具
２１…折板屋根
２２…馳部
２３…水平部
２４…傾斜部
４２…挟持部
４３…頂面部
４８，４８ａ…折り返し部
４９…袴状接地部
５１…ボルト
５２…ナット
６１…取り付けボルト
６３…ナット
【図１】
2009084982.tif 000003
【図２】
2009084982.tif 000004
【図３】
2009084982.tif 000005
【図４】
2009084982.tif 000006
【図５】
2009084982.tif 000007
【図６】
2009084982.tif 000008
【図７】
2009084982.tif 000009
【図８】
2009084982.tif 000010
【図９】
2009084982.tif 000011
【図１０】
2009084982.tif 000012
【図１１】
2009084982.tif 000013